(57)【特許請求の範囲】
【請求項１】
バルブ切替装置の底蓋に設けた唾抜管から出る唾液を収容する金管楽器の唾収納容器であって、軟質材によって形成され周面に前記唾抜管が着脱可能に差し込まれる接続孔を有する筒状の容器本体と、この容器本体の開口部端部を液密に閉塞するキャップと、前記容器本体内に収容される水分吸収体とを備えたことを特徴とする金管楽器の唾収納容器。
【発明の詳細な説明】
【０００１】
【発明の属する技術分野】
本発明は、トランペット、フーフォニアムチューバ等の金管楽器に係り、更に詳しくはバルブ切替装置に溜まる唾液や呼気中の水分を収容する金管楽器の唾収納容器に関するものである。
【０００２】
【従来の技術】
トランペットは、バルブ切替装置としてロータリーバルブまたはピストンバルブを備え、これによって共鳴管の管長を切り替えて異なった音高の演奏音を発音させるようにしている。
【０００３】
図２にピストンバルブを備えたトランペットの従来例を示す。このトランペット１は３つのピストンバルブ２を備え、そのピストン３を指で押し下げることによりピストン本体に設けた切替路を切り替えるように構成されている。４はトランペット１の管本体で、朝顔管４Ａ、吹込管４Ｂ、主管抜差管４Ｃ等で構成されている。５は朝顔、６はマウスピース、７Ａ，７Ｂ，７Ｃは第１、第２、第３抜差管、８は指掛、９はフィンガーリング、１０はウオーターキーである。
【０００４】
このようなトランペット１において、演奏時に唾液が管本体４およびピストンバルブ２内に溜まる。また、呼気に含まれている水分も冷却すると水となって溜まる。このうち管本体４内に溜まった唾液ならびに呼気中の水分（以下、総称して唾液という）は、主管抜差管４Ｃに設けた唾抜用の穴から排出される。この穴は通常は閉じており、前記ウオーターキー１０によって開放される。一方、ピストンバルブ２内に溜まった唾液は、植込管１１の下端開口部を閉塞する底蓋１２に設けた唾抜管１３から排出される。この唾抜管１３は常時開放している。
【０００５】
【発明が解決しようとする課題】
上記した従来のトランペットにおいては、唾抜管１３が常時開放しているため、演奏中において唾液が床に落下して見苦しいという問題があった。
【０００６】
そこで、最近ではこのような問題を解決するために図３に示すような唾垂れ防止用のパイプ１４を唾抜管１３に取付け、このパイプ１４内に唾液を収容するようにしたものが提案されている。このパイプ１４は金属製で、周面の一部に溝１５が全長にわたって形成されるとともに、溝１５に連通する鍵穴形の挿通孔１６が形成されており、この挿通孔１６に唾抜管１３が差し込まれるようになっている。また、同様の硬質合成樹脂製のパイプも知られている。しかし、このようなパイプ１４においても以下に述べるような問題があり、未だ改良の余地があった。すなわち、それ自体が剛性を有するために、ピストンバルブ２が一直線上に並んで設けられていない場合は構造上、取付け不可能である。さらに、金属製パイプは内部が見えないので、唾液の溜まり具合を外部から視認できないという問題もあった。
【０００７】
本発明は上記した従来の問題を解決するためになされたもので、その目的とするところは、安価で容易に製作することができ、またバルブの配列に応じて自由に形状を変更することができる金管楽器の唾収納容器を提供することにある。
また、本発明は、唾液の漏洩がない金管楽器の唾収納容器を提供することにある。
【０００８】
【課題を解決するための手段】
上記目的を達成するために本発明は、バルブ切替装置の底蓋に設けた唾抜管から出る唾液を収容する金管楽器の唾収納容器であって、軟質材によって形成され周面に前記唾抜管が着脱可能に差し込まれる接続孔を有する筒状の容器本体と、この容器本体の開口部端部を液密に閉塞するキャップと、前記容器本体内に収容される水分吸収体とを備えたことを特徴とする。
【０００９】
本発明において、容器本体は合成樹脂、ゴム等のように弾性と可撓性を有する軟質材によって形成され、唾抜管が接続孔に圧入されることで唾抜管に対して着脱可能に取付けられる。容器本体を透明な合成樹脂によって形成すると、内部に溜まる唾液を外部から視認することができる。また、可撓性を有するため、形状の変形が自由でバルブ切替装置の配列に対応し得る。水分吸収体は唾液を吸収する。キャップは容器本体の開口端部を液密に閉塞し唾漏れを阻止する。
【００１０】
【発明の実施の形態】
以下、本発明を図面に示す実施の形態に基づいて詳細に説明する。
図１は本発明に係る唾収納容器とピストンバルブの断面図である。なお、従来技術の欄で示した構成部材等と同一のものについては同一符号をもって示し、その説明を適宜省略する。唾収納容器２０は、軟質材によって両端開放の筒状体に形成された容器本体２１と、この容器本体２１の両端開口部を閉塞する２つのキャップ２２と、容器本体２１内に収納される水分吸収体２３とを備えている。
【００１１】
前記容器本体２１は、軟質の合成樹脂、ゴム等によって形成され、周面に３つの接続孔２４がピストンバルブ２の配列ピッチで一直線上に位置するように形成され、またこれら接続孔２４の間には空気抜き孔２５が形成されている。接続孔２４の穴径は、裏蓋１２の下面に突設した唾抜管１３の頚部１３ａの外径と略等しく、容器本体２１自体のもつ弾性によって唾抜管１３が着脱可能に圧入される。この場合、ピストンバルブ２のピッチと接続孔２４のピッチが多少異なっていても唾抜管１３の圧入が可能で、他のメーカーの製品に対しても使用が可能である。また、容器本体２１は自由に形状を変形することが可能であるため、ピストンバルブ２の配列によってはＶ字状または円弧状に折り曲げて用いられる。
【００１２】
前記空気抜き孔２５は、容器本体２１の内外を連通しており、これによってピストンの動きを容易にしている。
【００１３】
前記キャップ２２は合成樹脂によって形成されている。キャップ２２は、容器本体２１が軟質材によって形成されていることから、容器本体２１の開口端部に嵌着されると内周面に密着し、液密に閉塞する。
【００１４】
前記水分吸収体２３は、ポリエステル、綿、スポンジ等の吸水性の高い材料によって形成される。水分吸収体２３としてはいわゆる使い捨てで、一定期間使用したら新しいものと交換する。
【００１５】
このような構成からなる唾収納容器２０は、水分吸収体２３を容器本体２１内に収納し、キャップ２２を容器本体２１の開口端部に嵌着することにより組立てられ、各ピストンバルブ２の唾抜管１３が接続孔２４に圧入されることによりピストンバルブ２に着脱可能に取付けられる。この状態において、唾抜管１３から漏れる唾液は水分吸収体２３によって吸収される。したがって、唾液は唾収納容器２０から漏れることはない。また、容器本体２１を透明材料によって形成しておくと、水分吸収体２３の吸水度によって唾液の溜まり具合を外から視認することができる。さらに、容器本体２１を軟質材によって形成しているので、従来の金属製のものに比べて安価で、しかもピストンバルブ２の配列に応じて曲げて使用することが容易に可能である。
【００１６】
なお、上記した実施の形態はピストンバルブ２を備えた金管楽器に適用した例を示したが、本発明はこれに特定されるものではなく、その他のバルブを備えた金管楽器にも適用することができる。
【００１７】
【発明の効果】
以上説明したように本発明に係る金管楽器の唾収納容器によれば、唾抜管への取付けが容易で、唾液が漏れたりすることがなく、また材料コストが安い上バルブ配列に応じて曲げて使用することができる。
【図面の簡単な説明】
【図１】  本発明に係る唾収納容器とピストンバルブの断面図である。
【図２】  トランペットの従来例を示す斜視図である。
【図３】  従来の唾垂れ防止用パイプを示す斜視図である。
【符号の説明】
１…トランペット、２…ピストンバルブ、４…管本体、６…マウスピース、１２…底蓋、１３…唾抜管、２０…唾収納容器、２１…容器本体、２２…キャップ、２３…水分吸収体、２４…接続孔、２５…空気抜き孔。
【図１】
0003903521.tif 000002
【図３】
0003903521.tif 000003
【図２】
0003903521.tif 000004